【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
ユーザが一つ又は複数の入力に関する第１セットを生成することを選択可能であり、一つ又は複数の入力に関する第２セットを生成することを選択可能であるユーザインターフェイスを提供することと、
第１縮尺ビュー、又は、第２縮尺ビューを用いて、スクリーン上に所定のウェブページを表示することによって、ユーザが入力に関する第１セット、又は、入力に関する第２セットをそれぞれ生成しているか否かに対応することと、で構成され、
前記第１縮尺ビューに於いて、テキストを含むコラムが第１幅を有し、テキスト文字列が前記第１コラム幅に関連した第１フォントサイズを有し、
前記第２縮尺ビューに於いて、前記コラムがより小さな第２幅を有し、前記テキスト文字列が、前記第１コラム幅に関連した前記第１フォントサイズよりも大きな、前記第２コラム幅に関連した第２フォントサイズを有し、
前記テキスト文字列のそれぞれの文字は、前記ビューで前記スクリーン上に表示されるピクセル解像度で、可読性を向上させるために文字の形状及びピクセル配置が選択されているフォントビットマップを用いて、それぞれの縮尺ビューで表示される、固定ピクセル解像度スクリーン上にウェブページを表示する方法。
【請求項２】
前記第１入力、及び、前記第２入力の生成によって、グループとしてコラム幅及び相対フォントサイズの表示パラメータを、それぞれのそうした表示パラメータを別々に変更するために別々に選択する必要なく、ユーザが変更可能な、請求項１に記載の固定ピクセル解像度スクリーン上にウェブページを表示する方法。
【請求項３】
前記第１縮尺ビューで、前記コラムが第１水平置換を有し、
前記第２縮尺ビューで、前記コラムがより小さな第２水平置換を有し、前記第２フォントサイズが、前記第２水平置換に関連して、前記第１水平置換に関連した前記第１フォントサイズよりも大きい、請求項１に記載の固定ピクセル解像度スクリーン上にウェブページを表示する方法。
【請求項４】
前記ウェブページが、一つ又は複数のコラムが他のコラムの右側に水平に置換されるマルチコラムレイアウトで表示され、
前記水平置換は、そうした水平方向に置換されたコラムの水平位置を決定する、請求項３に記載の固定ピクセル解像度スクリーン上にウェブページを表示する方法。
【請求項５】
前記第１縮尺ビューに於いて、画像は第１サイズを有し、
前記第２縮尺ビューに於いて、前記画像はより小さな第２サイズを有し、前記第２フォントサイズは、前記第２画像サイズに関連して、前記第１画像サイズに関連した前記第１フォントサイズよりも大きい、請求項１に記載の固定ピクセル解像度スクリーン上にウェブページを表示する方法。
【請求項６】
ユーザが一つ又は複数の入力の第１セットを生成することを選択することが可能であり、一つ又は複数の入力の第２セットを生成することを選択することが可能なユーザインターフェイスをユーザに対して提供することと、
第１縮尺ビュー、又は、第２縮尺ビューを用いて、前記スクリーン上に所定のウェブページをそれぞれ表示することによって、入力の前記第１セット、又は、入力の前記第２セットをユーザが生成したか否かに対応することと、を含み、
前記第１縮尺ビューに於いて、画像が第１サイズを有し、テキストを含むコラムが第１幅を有し、テキスト文字列が、前記第１画像サイズ及びコラム幅に関連した第１フォントサイズを有しており、
前記第２縮尺ビューに於いて、前記画像がより小さな第２サイズを有し、前記コラムがより小さな第２幅を有し、前記テキスト文字列が、前記第２画像サイズ及びコラム幅に関連して、前記第１画像サイズ及び前記コラム幅に関連した前記第１フォントサイズよりも大きな第２フォントサイズを有しており、
前記第１入力、及び、前記第２入力の生成によって、グループとして画像サイズ、コラム幅、及び、相対フォントサイズの表示パラメータを、ユーザが２つ又はそれを超えるそうした表示パラメータを変更するために別々に選択する必要なく変更可能な、スクリーン上にウェブページを表示する方法。
【請求項７】
前記第１縮尺ビューに於いて、前記コラムが第１水平置換を有しており、
前記第２縮尺ビューに於いて、前記コラムがより小さな第２水平置換を有し、前記第２フォントサイズが前記第２水平置換に関連して、前記第１水平置換に関連した前記第１フォントサイズよりも大きく、
前記第１及入力、及び、前記第２入力の生成によって、画像サイズ、コラム幅、コラム水平置換、及び、グループとしての相対的なフォントサイズに関する表示パラメータを、ユーザが２つ又はそれを超えるそうした表示パラメータの変更を別々に選択する必要なく変更可能である、請求項６に記載のスクリーン上にウェブページを表示する方法。
【請求項８】
前記ウェブページは、一つ又は複数のコラムが他のコラムの右側に水平方向に置換されるマルチコラムレイアウトで表示され、
前記水平置換は、そうした水平方向に置換されたコラムの水平位置を決定する、請求項７に記載のスクリーン上にウェブページを表示する方法。
【請求項９】
前記第１縮尺ビューに於いて、前記画像は第１水平置換を有しており、
前記第２縮尺ビューに於いて、前記画像はより小さな第２水平置換を有しており、前記第２フォントサイズは、前記第２画像水平置換に関連して、前記第１画像水平置換に関連した前記第１フォントサイズよりも大きく、
前記第１入力、及び、前記第２入力の生成によって、画像サイズ、コラム幅、コラム水平置換、画像水平置換、及び、グループとしての相対フォントサイズに関する表示パラメータを、ユーザが２つ又はそれを超えるそうした表示パラメータを変更するために別々に選択する必用なく、変更することが可能である、請求項７に記載のスクリーン上にウェブページを表示する方法。
【請求項１０】
前記ウェブページは、前記画像に対して特定されたピクセルサイズ、及び、前記コラムに対して特定されたピクセル幅を含み、
前記第２画像サイズは、前記特定されたピクセルサイズよりも小さなピクセルサイズであり、
前記第２コラム幅は、前記特定されたコラム幅よりも小さなピクセル幅である、請求項６に記載のスクリーン上にウェブページを表示する方法。
【請求項１１】
前記画像に関する前記特定されたピクセルサイズ、及び、前記コラムに関する前記特定されたピクセル幅の両方が、前記第２ビューで同一倍率によって縮小される、請求項１０に記載のスクリーン上にウェブページを表示する方法。
【請求項１２】
前記第１画像サイズは、前記特定されたピクセルサイズよりも小さく、前記第２画像サイズよりも大きなピクセルサイズであり、
前記第１コラム幅は、前記特定されたコラム幅よりも小さく、前記第２コラム幅よりも大きなピクセル幅である、請求項１０に記載のスクリーン上にウェブページを表示する方法。
【請求項１３】
前記画像に関する前記特定されたピクセルサイズ、及び、前記コラムに関する前記特定されたピクセル幅の両方は、前記第１ビューで同一の第１総量、及び、前記第２ビューで同一のより大きな第２総量によって縮小される、請求項１２に記載のスクリーン上にウェブページを表示する方法。
【請求項１４】
前記第１ビュー、及び、前記第２ビューの両方で、前記文字列の表示に対して同一のフォントサイズが使用される、請求項６に記載のスクリーン上にウェブページを表示する方法。
【請求項１５】
ユーザによって一つ又は複数の入力に関する第１セットを形成することが可能であり、一つ又は複数の入力に関する第２セットを形成することが可能であるユーザインターフェイスを提供することと、
第１縮尺ビュー、又は、第２縮尺ビューを用いて、スクリーン上に所定のウェブページを表示することによって、ユーザが入力の前記第１セット、又は、入力の前記第２セットをそれぞれ形成したか否かに対応することと、で構成され、
前記第１縮尺ビューに於いて、画像が第１サイズ及び第１水平置換を有し、テキストを含むコラムが第１幅及び第１水平置換を有し、テキスト文字列が前記第１画像サイズ、コラム幅、及び、水平置換に関連した第１フォントサイズを有し、
第２縮尺ビューに於いて、前記画像がより小さな第２サイズ、及び、より小さな第２水平置換を有し、前記コラムがより小さな第２幅、及び、より小さな第２水平置換を有し、前記テキスト文字列が、前記第２画像サイズ、コラム幅、及び、水平置換に関連して、前記第１画像サイズ、コラム幅、及び、水平置換に関連した前記第１フォントサイズよりも大きい第２フォントサイズを有し、
文字の形状及びピクセル配置が、フォントビットマップが前記ビューで前記スクリーン上に表示されるピクセル解像度で、可読性を向上させるために選択されているフォントビットマップを用いて、前記テキスト文字列のそれぞれの文字がそれぞれの縮尺ビューで表示され、
前記第１入力、及び、前記第２入力の生成によって、画像サイズ、コラム幅、水平置換、及び、グループとしての相対的なフォントサイズに関する表示パラメータを、ユーザが２つ又はそれを超えるそうした表示パラメータを変更させるために別々に選択する必用なく、変更することが可能であり、
一つ、又は、複数のコラムが他のコラムの右側に水平方向に置換されるマルチコラムレイアウトを用いて、前記ウェブページがそれぞれの縮尺ビューで表示され、
前記第１水平コラム置換、及び、前記第２水平コラム置換が、前記第１縮尺ビュー及び前記第２縮尺ビューで、そうした水平方向に置換されたコラムの水平位置をそれぞれ決定する、固定ピクセル解像度スクリーン上にマルチコラムェブページを表示する方法。
【請求項１６】
前記ウェブページは、前記画像、コラム幅、及び、水平置換に対した特定されたピクセルサイズを含んでおり、
前記第２画像サイズ、コラム幅、及び水平置換は、前記画像、コラム幅、及び、水平置換に関する前記特定されたピクセルサイズよりも小さなピクセルサイズをそれぞれ有する、請求項１５に記載の固定ピクセル解像度スクリーン上にマルチコラムウェブページを表示する方法。
【請求項１７】
前記画像、コラム幅、及び、水平置換に関する前記特定されたピクセルサイズの両方が前記第２ビューで同一倍率によって縮小される、請求項１６に記載の固定ピクセル解像度スクリーン上にマルチコラムウェブページを表示する方法。
【請求項１８】
前記第１画像サイズ、コラム幅、及び、水平置換は、前記画像、コラム幅、及び、水平置換に関する特定されたピクセルサイズよりも小さいが、前記第２画像サイズ、コラム幅、及び、水平置換のそれぞれのピクセルサイズよりも大きなピクセルサイズをそれぞれ有する、請求項１６に記載の固定ピクセル解像度スクリーン上にマルチコラムウェブページを表示する方法。
【請求項１９】
前記画像、コラム幅、及び、水平置換に関する特定されたピクセルサイズの両方が、前記第１ビューで同一の第１総量によって、及び、前記第２ビューでより大きな同一の第２総量によって縮小される、請求項１８に記載の固定ピクセル解像度スクリーン上にマルチコラムウェブページを表示する方法。
【請求項２０】
前記第１ビュー、及び、前記第２ビューの両方に於いて、同一フォントサイズが前記文字列の表示用に使用される、請求項１５に記載の固定ピクセル解像度スクリーン上にマルチコラムウェブページを表示する方法。
【請求項２１】
文字列がレイアウトされるコラムに対するウェブページに関連して、テキスト文字列、特定されたピクセル幅、水平ピクセル置換を含む、ウェブページのコンテンツにアクセスすることと、
前記特定されたピクセル幅に関連して比例的に縮小されたピクセル幅、及び、前記特定された水平ピクセル置換に関連して比例的に縮小された水平ピクセル置換を用いて、前記コラムがスクリーン上に表示され、
前記スクリーン上に表示されるピクセル解像度で可読性を向上させるために、文字の形状、及び、文字のピクセル配置が選択されているフォントビットマップを用いて、前記コラムに、前記テキスト文字列のそれぞれの文字が表示され、
フォント文字列の文字を表示するために使用されるフォントが、少なくとも１ピクセル行に於いて、２つの水平方向に分離されたストロークを表現する、それぞれの側に於ける一つ又は複数の比較的覆われているピクセルの間に水平方向に設置された、少なくとも一つの比較的覆われていないピクセルを有することによって、形状が前記２つの水平方向に分離された垂直ストロークを有するそれぞれの文字を表現するように、前記スクリーン上に前記ウェブページをレイアウトし、表示することと、で構成される、固定ピクセル解像度スクリーン上にウェブページを表示する方法。
【請求項２２】
前記表示されたコラム幅、及び、表示された水平置換の縮小によって、前記コラム幅及び水平置換のピクセルサイズを２倍以上減少させる、請求項２１に記載の固定ピクセル解像度スクリーン上にウェブページを表示する方法。
【請求項２３】
前記文字列の文字を表示するために使用される前記フォントは、４ピクセルコラムのアドバンス幅によって表現された２つの水平方向に分離された垂直ストロークを有する多数の小文字を備えた、請求項２２に記載の固定ピクセル解像度スクリーン上にウェブページを表示する方法。
【請求項２４】
前記表示されたコラム幅、及び、表示された水平置換の縮小によって、前記コラム幅及び水平置換のピクセルサイズを少なくとも２．５倍減少させる、請求項２２に記載の固定ピクセル解像度スクリーン上にウェブページを表示する方法。
【請求項２５】
前記文字列の文字を表示するために使用される前記フォントは、４ピクセルコラムのアドバンス幅で表現された２つの水平方向に分離された垂直ストロークを有する多数の小文字を備えた、請求項２４に記載の固定ピクセル解像度スクリーン上にウェブページを表示する方法。
【請求項２６】
ウェブページの内容は、特定されたピクセルサイズ、及び、特定された水平ピクセル置換を有する画像を備えており、
前記スクリーン上で前記ウェブページの前記レイアウト及び表示によって、前記特定されたピクセルサイズに関連して比例的に縮小されたピクセルサイズ、及び、前記画像の特定された水平ピクセル置換に関連して比例的に縮小された水平ピクセル置換と、を用いて、前記スクリーン上に前記画像を表示させる、請求項２１に記載の固定ピクセル解像度スクリーン上にウェブページを表示する方法。
【請求項２７】
一つ又は複数のコラムが他のコラムの右側に水平に置換されるマルチコラムレイアウトを用いて前記ウェブページが表示され、
前記水平置換が、そうした水平方向に置換されたコラムの水平位置を決定する、請求項２１に記載の固定ピクセル解像度スクリーン上にウェブページを表示する方法。
【請求項２８】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスであって、
前記プログラム情報は、前記一つまたは複数のプロセッサの制御下で、前記コンピュータデバイスを実行させるためのプログラムを含み、
前記プロセッサは、前記記憶装置の前記プログラム情報の前記プログラムにより、ユーザが一つ又は複数の入力に関する第１セットを生成することを前記入力装置により選択可能であり、一つ又は複数の入力に関する第２セットを生成することを選択可能であるユーザインターフェイスを前記表示スクリーンに提供することと、
第１縮尺ビュー、又は、第２縮尺ビューを用いて、前記スクリーン上に所定のウェブページを表示することによって、ユーザが入力に関する第１セット、又は、入力に関する第２セットをそれぞれ生成しているか否かに対応することと、を実行し、
前記第１縮尺ビューに於いて、テキストを含むコラムが第１幅を有し、テキスト文字列が前記第１コラム幅に関連した第１フォントサイズを有し、
前記第２縮尺ビューに於いて、前記コラムがより小さな第２幅を有し、前記テキスト文字列が、前記第１コラム幅に関連した前記第１フォントサイズよりも大きな、前記第２コラム幅に関連した第２フォントサイズを有し、
前記テキスト文字列のそれぞれの文字は、前記ビューで前記スクリーン上に表示されるピクセル解像度で、可読性を向上させるために文字の形状及びピクセル配置が選択されているフォントビットマップを用いて、それぞれの縮尺ビューで表示されるコンピュータデバイス。
【請求項２９】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスであって、
前記プログラム情報は、前記一つまたは複数のプロセッサの制御下で、前記コンピュータデバイスを実行させるためのプログラムを含み、
前記プロセッサは、前記記憶装置の前記プログラム情報の前記プログラムにより、ユーザが一つ又は複数の入力の第１セットを生成することを選択することが前記入力装置により可能であり、一つ又は複数の入力の第２セットを生成することを選択することが可能なユーザインターフェイスを前記表示スクリーンに対して提供することと、
第１縮尺ビュー、又は、第２縮尺ビューを用いて、前記表示スクリーン上に所定のウェブページをそれぞれ表示することによって、入力の前記第１セット、又は、入力の前記第２セットをユーザが生成したか否かに対応することと、を実行し、
前記第１縮尺ビューに於いて、画像が第１サイズを有し、テキストを含むコラムが第１幅を有し、テキスト文字列が、前記第１画像サイズ及び前記第１コラム幅に関連した第１フォントサイズを有しており、
前記第２縮尺ビューに於いて、前記画像がより小さな第２サイズを有し、前記コラムがより小さな第２幅を有し、前記テキスト文字列が、前記第２画像サイズ及び前記第２コラム幅に関連して、前記第１画像サイズ及び前記第１コラム幅に関連した前記第１フォントサイズよりも大きな第２フォントサイズを有しており、
前記第１入力、及び、前記第２入力の生成によって、画像サイズ、コラム幅、及び、相対フォントサイズの表示パラメータのうち、２つ又はそれを超える表示パラメータの変更を別々に選択する必要なく、グループとして前記表示パラメータを変更可能としたコンピュータデバイス。
【請求項３０】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスであって、
前記プログラム情報は、前記一つまたは複数のプロセッサの制御下で、前記コンピュータデバイスを実行させるためのプログラムを含み、
前記プロセッサは、前記記憶装置の前記プログラム情報の前記プログラムにより、ユーザによって一つ又は複数の入力に関する第１セットを形成することが前記入力装置により可能であり、一つ又は複数の入力に関する第２セットを形成することが可能であるユーザインターフェイスを前記表示スクリーンに提供することと、
第１縮尺ビュー、又は、第２縮尺ビューを用いて、表示スクリーン上に所定のウェブページを表示することによって、ユーザが入力の前記第１セット、又は、入力の前記第２セットをそれぞれ形成したか否かに対応することと、を実行し、
前記第１縮尺ビューに於いて、画像が第１サイズ及び第１水平置換を有し、テキストを含むコラムが第１幅及び第１水平置換を有し、テキスト文字列が前記第１画像サイズ、前記第１コラム幅、及び、前記第１水平置換に関連した第１フォントサイズを有し、
第２縮尺ビューに於いて、前記画像がより小さな第２サイズ、及び、より小さな第２水平置換を有し、前記コラムがより小さな第２幅、及び、前記より小さな第２水平置換を有し、前記テキスト文字列が、前記第２画像サイズ、前記第２コラム幅、及び、前記第２水平置換に関連して、前記第１画像サイズ、前記第１コラム幅、及び、前記第１水平置換に関連した前記第１フォントサイズよりも大きい第２フォントサイズを有し、
文字の形状及びピクセル配置が、フォントビットマップが前記ビューで前記スクリーン上に表示されるピクセル解像度で、可読性を向上させるために文字の形状及びピクセル配置が選択されているフォントビットマップを用いて、前記テキスト文字列のそれぞれの文字がそれぞれの縮尺ビューで表示され、
前記第１入力、及び、前記第２入力の生成によって、画像サイズ、コラム幅、水平置換、及び相対的なフォントサイズに関する表示パラメータのうち、２つ又はそれを超える表示パラメータの変更を別々に選択する必用なく、グループとして前記表示パラメータを変更することが可能であり、
一つ、又は、複数のコラムが他のコラムの右側に水平方向に置換されるマルチコラムレイアウトを用いて、前記ウェブページがそれぞれの縮尺ビューで表示され、
前記第１水平コラム置換、及び、前記第２水平コラム置換が、前記第１縮尺ビュー及び前記第２縮尺ビューで、前記水平方向に置換されたコラムの水平位置をそれぞれ決定するコンピュータデバイス。
【請求項３１】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスであって、
前記プログラム情報は、前記一つまたは複数のプロセッサの制御下で、前記コンピュータデバイスを実行させるためのプログラムを含み、
前記プロセッサは、前記記憶装置の前記プログラム情報の前記プログラムにより、文字列がレイアウトされるコラムに対するウェブページに関連して、テキスト文字列、特定されたピクセル幅および水平ピクセル置換を含む、ウェブページのコンテンツにアクセスすることと、
前記特定されたピクセル幅に関連して比例的に縮小されたピクセル幅、及び、前記特定された水平ピクセル置換に関連して比例的に縮小された水平ピクセル置換を用いて、前記コラムが表示スクリーン上に表示され、
前記スクリーン上に表示されるピクセル解像度で可読性を向上させるために、文字の形状、及び、文字のピクセル配置が選択されているフォントビットマップを用いて、前記コラムに、前記テキスト文字列のそれぞれの文字が表示され、
フォント文字列の文字を表示するために使用されるフォントが、少なくとも１ピクセル行に於いて、２つの水平方向に分離されたストロークを表現するそれぞれの側に於ける一つ又は複数の比較的覆われているピクセルの間に水平方向に設置された、少なくとも一つの比較的覆われていないピクセルを有することによって、形状が前記２つの水平方向に分離された垂直ストロークを有するそれぞれの文字を表現するように、前記表示スクリーン上に前記ウェブページをレイアウトし、表示することと、を実行するコンピュータデバイス。
【請求項３２】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスに用いられ、
前記プログラム情報は、前記一つまたは複数のプロセッサの制御下で、前記コンピュータデバイスを実行させるためのプログラムを含み、
前記プロセッサに、前記記憶装置の前記プログラム情報の前記プログラムにより、
ユーザが一つ又は複数の入力に関する第１セットを生成することを前記入力装置により選択可能であり、一つ又は複数の入力に関する第２セットを生成することを前記入力装置により選択可能であるユーザインターフェイスを前記表示スクリーンに提供することと、
第１縮尺ビュー、又は、第２縮尺ビューを用いて、前記表示スクリーン上に所定のウェブページを表示することによって、ユーザが入力に関する第１セット、又は、入力に関する第２セットをそれぞれ生成しているか否かに対応することと、を実行させ、
前記第１縮尺ビューに於いて、テキストを含むコラムが第１幅を有し、テキスト文字列が前記第１コラム幅に関連した第１フォントサイズを有し、
前記第２縮尺ビューに於いて、前記コラムがより小さな第２幅を有し、前記テキスト文字列が、前記第１コラム幅に関連した前記第１フォントサイズよりも大きな、前記第２コラム幅に関連した第２フォントサイズを有し、
前記テキスト文字列のそれぞれの文字は、前記ビューで前記表示スクリーン上に表示されるピクセル解像度で、可読性を向上させるために文字の形状及びピクセル配置が選択されているフォントビットマップを用いて、それぞれの縮尺ビューで表示させるためのコンピュータプログラム情報。
【請求項３３】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスに用いられ、
前記プログラム情報は、前記一つまたは複数のプロセッサの制御下で、前記コンピュータデバイスを実行させるためのプログラムを含み、
前記プロセッサに、前記記憶装置の前記プログラム情報の前記プログラムにより、
ユーザが一つ又は複数の入力の第１セットを生成することを選択することが前記入力装置により可能であり、一つ又は複数の入力の第２セットを生成することを選択することが可能なユーザインターフェイスを前記表示スクリーンに対して提供することと、
第１縮尺ビュー、又は、第２縮尺ビューを用いて、前記表示スクリーン上に所定のウェブページをそれぞれ表示することによって、入力の前記第１セット、又は、入力の前記第２セットをユーザが生成したか否かに対応することと、を実行させ、 前記第１縮尺ビューに於いて、画像が第１サイズを有し、テキストを含むコラムが第１幅を有し、テキスト文字列が、前記第１画像サイズ及び前記第１コラム幅に関連した第１フォントサイズを有しており、
前記第２縮尺ビューに於いて、前記画像がより小さな第２サイズを有し、前記コラムがより小さな第２幅を有し、前記テキスト文字列が、前記第２画像サイズ及び前記第２コラム幅に関連して、前記第１画像サイズ及び前記第１コラム幅に関連した前記第１フォントサイズよりも大きな第２フォントサイズを有しており、
前記第１入力、及び、前記第２入力の生成によって、画像サイズ、コラム幅、及び、相対フォントサイズの表示パラメータのうち、２つ又はそれを超える表示パラメータの変更を別々に選択する必要なく、グループとして前記表示パラメータを変更可能にするためのコンピュータプログラム情報。
【請求項３４】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスに用いられ、
前記プログラム情報は、前記一つまたは複数のプロセッサの制御下で、前記コンピュータデバイスを実行させるためのプログラムを含み、
前記プロセッサに、前記記憶装置の前記プログラム情報の前記プログラムにより、
ユーザによって一つ又は複数の入力に関する第１セットを形成することが前記入力装置により可能であり、一つ又は複数の入力に関する第２セットを形成することが可能であるユーザインターフェイスを前記表示スクリーンに提供することと、
第１縮尺ビュー、又は、第２縮尺ビューを用いて、表示スクリーン上に所定のウェブページを表示することによって、ユーザが入力の前記第１セット、又は、入力の前記第２セットをそれぞれ形成したか否かに対応することと、を実行させ、
前記第１縮尺ビューに於いて、画像が第１サイズ及び第１水平置換を有し、テキストを含むコラムが第１幅及び第１水平置換を有し、テキスト文字列が前記第１画像サイズ、前記第１コラム幅、及び、前記第１水平置換に関連した第１フォントサイズを有し、
第２縮尺ビューに於いて、前記画像がより小さな第２サイズ、及び、より小さな第２水平置換を有し、前記コラムがより小さな第２幅、及び、前記より小さな第２水平置換を有し、前記テキスト文字列が、前記第２画像サイズ、前記第２コラム幅、及び、前記第２水平置換に関連して、前記第１画像サイズ、前記第１コラム幅、及び、前記第１水平置換に関連した前記第１フォントサイズよりも大きい第２フォントサイズを有し、
フォントビットマップが前記ビューで前記表示スクリーン上に表示されるピクセル解像度で、可読性を向上させるために文字の形状及びピクセル配置が選択されているフォントビットマップを用いて、前記テキスト文字列のそれぞれの文字がそれぞれの縮尺ビューで表示され、
前記第１入力、及び、前記第２入力の生成によって、画像サイズ、コラム幅、水平置換、及び相対的なフォントサイズに関する表示パラメータのうち、２つ又はそれを超える前記表示パラメータの変更を別々に選択する必用なく、グループとして前記表示パラメータを変更することが可能であり、
一つ、又は、複数のコラムが他のコラムの右側に水平方向に置換されるマルチコラムレイアウトを用いて、前記ウェブページがそれぞれの縮尺ビューで表示され、
前記第１水平コラム置換、及び、前記第２水平コラム置換が、前記第１縮尺ビュー及び前記第２縮尺ビューで、そうした水平方向に置換されたコラムの水平位置をそれぞれ決定させるためのコンピュータプログラム情報。
【請求項３５】
プログラム情報を含む情報を保存するための一つまたは複数の記憶装置と、
前記プログラム情報に対応して情報を処理するための一つまたは複数のプロセッサと、
前記一つまたは複数のプロセッサに供給可能なユーザからの入力を受け付けるための一つまたは複数の入力装置と、
前記一つまたは複数のプロセッサの制御下で情報をユーザに表示可能な表示スクリーンと、で構成されるコンピュータデバイスに用いられ、
前記プログラム情報は、前記一つまたは複数のプロセッサの制御下で、前記コンピュータデバイスを実行させるためのプログラムを含み、
前記プロセッサに、前記記憶装置の前記プログラム情報の前記プログラムにより、
文字列がレイアウトされるコラムに対するウェブページに関連して、テキスト文字列、特定されたピクセル幅、水平ピクセル置換を含む、ウェブページのコンテンツにアクセスすることと、
前記特定されたピクセル幅に関連して比例的に縮小されたピクセル幅、及び、前記特定された水平ピクセル置換に関連して比例的に縮小された水平ピクセル置換を用いて、前記コラムが前記表示スクリーン上に表示され、
前記表示スクリーン上に表示されるピクセル解像度で可読性を向上させるために、文字の形状、及び、文字のピクセル配置が選択されているフォントビットマップを用いて、前記コラムに、前記テキスト文字列のそれぞれの文字が表示され、
フォント文字列の文字を表示するために使用されるフォントが、少なくとも１ピクセル行に於いて、２つの水平方向に分離されたストロークを表現するそれぞれの側に於ける一つ又は複数の比較的覆われているピクセルの間に水平方向に設置された、少なくとも一つの比較的覆われていないピクセルを有することによって、形状が前記２つの水平方向に分離された垂直ストロークを有するそれぞれの文字を表現するように、前記表示スクリーン上に前記ウェブページをレイアウトし、表示することと、を実行させるためのコンピュータプログラム情報。